(57)【要約】【課題】  高圧線側引下線および変圧器側引下線の断線改修作業に間接活線工法を適用でき、作業者の安全を確保し、且つ停電による需要家の不便に最小限に留めることを目的とする。【解決手段】  本発明にかかる断線改修方法の構成は、筒状であって、高圧線側引下線（ＰＤＰ１１２）および変圧器側引下線（ＰＤＣ１３２）を挿入可能なカバー２１０と、先端に針状の突出部２３６ａおよび２３６ｂを有する２つのボルト２３０ａおよび２３０ｂと、カバー内に配置される２つのナット２２０ａおよび２２０ｂと、２つのナットに接続される通電部材２４０と、を備える断線改修用冶具２００を用い、ヤットコ状の遠隔操作棒１５０ａでカバーを把持し、ヤットコ状の遠隔操作棒１５０ｂで高圧線側引下線および変圧器側引下線を把持してカバーに挿入し、フック状の遠隔操作棒１５０ｃでボルトをナットに螺合して締め付けることを特徴とする。【選択図】  図４
2012205323.tif 000002
【特許請求の範囲】
【請求項１】
遠隔操作棒を用いる間接活線工法によって、電柱に張架された高圧線および装柱された変圧器を接続する引下線の断線箇所を改修する断線改修方法であって、
絶縁材料からなり両端が開口した筒状であって、前記高圧線から引き下げられた高圧線側引下線を一方の開口に、前記変圧器に接続された高圧カットアウトから延出された変圧器側引下線を他方の開口に挿入可能なカバーと、
導電材料からなり螺刻された軸部および該軸部の先端に設けられた針状の突出部を有する２つのボルトと、
導電材料からなり前記カバーの内部においてその両端近傍に各々配置され前記ボルトを螺合される２つのナットと、
導電材料からなり前記２つのナットに両端が接続される通電部材と、
を備える断線改修用冶具を用い、
ヤットコ状の先端具が取り付けられた１つめの前記遠隔操作棒で前記カバーを把持し、
ヤットコ状の先端具が取り付けられた２つめの前記遠隔操作棒で、前記高圧線から引き下げられた高圧線側引下線を把持して前記カバーの一方の開口に挿入し、
前記２つめの遠隔操作棒で、前記変圧器から出ている変圧器側引下線を把持して前記カバーの他方の開口に挿入し、
ボルト締付用の先端具が取り付けられた前記遠隔操作棒で、前記ボルトを前記ナットに螺合して締め付けることを特徴とする断線改修方法。
【請求項２】
前記１つめの遠隔操作棒は、前記電柱、または作業員が搭乗する高所作業車のバケットに固定されることを特徴とする請求項１に記載の断線改修方法。
【請求項３】
前記ボルトの頭部は環状であることを特徴とする請求項１または２に記載の断線改修方法。
【請求項４】
前記カバーの外面にはゴムコーティングが施されていることを特徴とする請求項１から３のいずれか１項に記載の断線改修方法。
【請求項５】
間接活線工法による、電柱に張架された高圧線および装柱された変圧器を接続する引下線の断線箇所の改修作業に用いられる断線改修用冶具であって、
絶縁材料からなり両端が開口した筒状であって、前記高圧線から引き下げられた高圧線側引下線を一方の開口に、前記変圧器に接続された高圧カットアウトから延出された変圧器側引下線を他方の開口に挿入可能なカバーと、
導電材料からなり螺刻された軸部および該軸部の先端に設けられた針状の突出部を有する２つのボルトと、
導電材料からなり前記カバーの内部においてその両端近傍に各々配置され前記ボルトを螺合される２つのナットと、
導電材料からなり前記２つのナットに両端が接続される通電部材と、
を備えることを特徴とする断線改修用冶具。
【発明の詳細な説明】
【技術分野】
【０００１】
本発明は、遠隔操作棒を用いる間接活線工法によって、電柱に張架された高圧線および装柱された変圧器を接続する引下線の断線箇所を改修する断線改修方法、およびそれに用いられる断線改修用冶具に関するものである。
【背景技術】
【０００２】
電気事業者の発電所で発電され変電所で変電された電気は、電柱に張架されている高圧線を通じて送電され、かかる電柱に装柱された変圧器によって、送電時の電圧（例えば６６００Ｖ）から、需要家で使用する電圧（例えば１００Ｖまたは２００Ｖ）に変圧され、引込み線を通じて需要家に供給される。
【０００３】
上記の高圧線と変圧器とは高圧カットアウトを介して接続される。詳細には、高圧線側では、高圧線の途中に接続された引下線（高圧線側引下線）が引き下げられている。一方、変圧器側では、変圧器に接続された高圧カットアウトから引下線（変圧器側引下線）が延出している。そして、それらの引下線の端部の被覆を剥ぎ取って芯線を露出させ、かかる芯線をスリーブと呼ばれる金属製の筒状部材の末端に各々挿入する。その後、スリーブを圧着することにより、高圧線側引下線と変圧器側引下線ひいては高圧線と変圧器が接続される。
【０００４】
なお、高圧線側引下線には高圧引下用エチレンプロピレンゴム絶縁電線（ＰＤＰ:Plane transformer Drop wire ethylene Polyethylene rubber）が、変圧器側引下線には高圧引下用架橋ポリエチレン絶縁電線（ＰＤＣ:Plane transformer Drop wire Crosslinked polyethylene）が用いられることが多い。このため、以下、高圧線側引下線をＰＤＰと称し、変圧器側引下線をＰＤＣと称する。
【０００５】
上述したＰＤＰとＰＤＣの接続部には十分な強度を持たせているものの、強風等により繰り返し曲げ応力がかかると、かかる接続部において断線が発生することがある（ＰＤ線断線）。すると、需要家において停電が発生してしまうのはもちろんのこと、配電線事故を引き起こすおそれがあるため早急に断線を改修する必要がある。
【０００６】
従来では、断線の改修作業は直接活線工法によって行われていた。直接活線工法では、作業箇所（充電部）に活線用防護具を装着し、作業者は、感電を防止するための絶縁加工が施された活線用保護具を着用して、通電している充電部に直接触れて作業を行う。しかしながら、活線用防護具や活線用保護具によって作業者の安全性を確保しているものの、直接活線工法は充電部に直接触れる作業である以上、作業者の感電事故等の発生を完全に回避しきれるとは言い難い。
【０００７】
また直接活線工法では、作業責任者１名および柱上作業員２名の計３名の作業員で作業にあたる必要がある。しかし、通常、作業員は２名で作業現場に出向しているため、かかる作業現場において直接活線工法による改修作業が必要となった場合には、更に１名の作業員を応援要請しなくてはならない。すると、要請した作業員が到着するまでは改修作業に着手することができず、需要家における停電の長時間化を招いてしまう。
【０００８】
一方、近年では直接活線工法に替えて間接活線工法が主流になりつつある。間接活線工法では、作業者は、絶縁加工が施された間接活線工法専用の遠隔操作棒を用い、作業箇所（充電部）の近接範囲外から充電部に直接触れずに作業を行う。これにより、作業者の感電災害のリスクを極めて少なくすることができ、且つ活線用保護具の着用や活線用防護具の装着が不要となるため、作業者の負担の軽減や作業時間の短縮を図ることも可能となる。また間接活線工法であれば２名の作業員で作業を行うことができるため、応援要請をすることなく改修作業に着手することが可能である。したがって、需要家の停電時間の短縮が図れる。
【０００９】
上記のように多くの利点を有する間接活線工法であるが、これを直接活線工法に替えて適用するためには、間接活線工法専用の遠隔操作棒およびそれに取り付けられる先端具に加えて、各作業現場に応じた間接活線工法用の冶具が必要になる。かかる冶具の具体例として、特許文献１には、間接活線工法を用いて本線（高圧線）と引下線とを接続する引下線接続機材が開示されている。
【先行技術文献】
【特許文献】
【００１０】
【特許文献１】特開平１１−３１２５４２号公報
【発明の概要】
【発明が解決しようとする課題】
【００１１】
上記の特許文献１の冶具によれば、高圧線と引下線との接続作業に間接活線工法を適用することができる。しかしながら、間接活線工法によってＰＤＰとＰＤＣとを接続する冶具は未だ開発されておらず、当然にして、間接活線工法によるＰＤＰとＰＤＣとの断線改修工法は確立されていない。したがって、ＰＤＰとＰＤＣとの断線改修作業は直接活線工法を適用せざるを得ず、それに伴う問題は何ら解決されていないのが現状である。
【００１２】
ここで、特許文献１の冶具を、ＰＤＰおよびＰＤＣの断線改修に使用できればよいが、高圧線および引下線の接続と、ＰＤＰおよびＰＤＣの接続とでは作業内容が異なるため使用できない。高圧線に引下線を接続する場合には、引下線が何にも接続されていない状態であるため、あらかじめ地上で引下線の先端に治具を取り付けることができる。したがって高所では高圧線に接続する作業のみとなるため、一人で作業が可能である。これに対しＰＤＰとＰＤＣの断線改修では、両方とも高所で垂れ下がった状態となっている。このため、高所でＰＤＰおよびＰＤＣの両方を治具に差し込んで固定しなくてはならず、事実上作業不可能である。
【００１３】
本発明は、このような課題に鑑み、高圧線側引下線および変圧器側引下線の断線改修作業に間接活線工法を適用でき、作業者の安全を確保し、且つ停電による需要家の不便に最小限に留めることが可能な断線改修方法および断線改修用冶具を提供することを目的としている。
【課題を解決するための手段】
【００１４】
上記課題を解決するために、本発明にかかる断線改修方法の代表的な構成は、遠隔操作棒を用いる間接活線工法によって、電柱に張架された高圧線および装柱された変圧器を接続する引下線の断線箇所を改修する断線改修方法であって、絶縁材料からなり両端が開口した筒状であって、高圧線から引き下げられた高圧線側引下線を一方の開口に、変圧器に接続された高圧カットアウトから延出された変圧器側引下線を他方の開口に挿入可能なカバーと、導電材料からなり螺刻された軸部および軸部の先端に設けられた針状の突出部を有する２つのボルトと、導電材料からなりカバーの内部においてその両端近傍に各々配置されボルトを螺合される２つのナットと、導電材料からなり２つのナットに両端が接続される通電部材と、を備える断線改修用冶具を用い、ヤットコ状の先端具が取り付けられた１つめの遠隔操作棒でカバーを把持し、ヤットコ状の先端具が取り付けられた２つめの遠隔操作棒で、高圧線から引き下げられた高圧線側引下線を把持してカバーの一方の開口に挿入し、２つめの遠隔操作棒で、変圧器から出ている変圧器側引下線を把持してカバーの他方の開口に挿入し、ボルト締付用の先端具が取り付けられた遠隔操作棒で、ボルトをナットに螺合して締め付けることを特徴とする。
【００１５】
上記構成によれば、遠隔操作棒を用いて、高圧線側引下線（ＰＤＰ）および変圧器側引下線（ＰＤＣ）を断線改修用冶具のカバーに挿入した後にボルトを締め付けるだけで、かかるＰＤＰおよびＰＤＣの断線箇所を改修することができる。すなわち、間接活線工法を用いてＰＤＰおよびＰＤＣの断線改修作業を行うことができる。したがって、作業者のより高い安全性が得られるとともに、直接活線工法において必要であった３人目の作業者が必要なくなるため直ちに改修作業に着手することができ、停電時間を短縮し、需要家の不便を最小限に留めることが可能となる。
【００１６】
また、上記の断線改修用冶具により接続されたＰＤＰおよびＰＤＣでは、２つのボルトの針状の突出部が接触する。そして、その２つのボルト、かかるボルトを螺合された２つのナット、および２つのナットに接続された通電部材を介してＰＤＰおよびＰＤＣが通電する。したがって、本発明の断線改修方法では、ＰＤＰおよびＰＤＣの被覆の剥ぎ取りが不要である。このため、作業工程の削減、ひいては作業時間の短縮を図ることが可能となる。
【００１７】
上記の１つめの遠隔操作棒は、電柱、または作業員が搭乗する高所作業車のバケットに固定されるとよい。これにより、作業員は１つめの遠隔操作棒を手に持つ必要がなくなるため両手を自由に使うことができ、作業性を格段に向上させることが可能となる。
【００１８】
上記のボルトの頭部は環状であるとよい。かかる構成によれば、ボルトを回転させる際に、ボルトの頭部を、ヤットコ状の先端具で把持するだけでなく、フック状の先端具を引っ掛けて操作することが可能となり、作業性の向上を図れる。
【００１９】
上記のカバーの外面にはゴムコーティングが施されているとよい。これにより、ゴムコーティングが滑り止めとして機能するため、遠隔操作棒によってカバーをより確実に把持可能となる。したがって、作業性の向上を図ることができる。
【００２０】
上記課題を解決するために、本発明にかかる断線改修用冶具の代表的な構成は、間接活線工法による、電柱に張架された高圧線および装柱された変圧器を接続する引下線の断線箇所の改修作業に用いられる断線改修用冶具であって、絶縁材料からなり両端が開口した筒状であって、高圧線から引き下げられた高圧線側引下線を一方の開口に、変圧器に接続された高圧カットアウトから延出された変圧器側引下線を他方の開口に挿入可能なカバーと、導電材料からなり螺刻された軸部および軸部の先端に設けられた針状の突出部を有する２つのボルトと、導電材料からなりカバーの内部においてその両端近傍に各々配置されボルトを螺合される２つのナットと、導電材料からなり２つのナットに両端が接続される通電部材と、を備えることを特徴とする。
【００２１】
上述した断線改修方法の技術的思想に基づく構成要素やその説明は、断線改修用冶具にも適用可能である。
【発明の効果】
【００２２】
本発明によれば、高圧線側引下線および変圧器側引下線の断線改修作業に間接活線工法を適用でき、作業者の安全を確保し、且つ停電による需要家の不便に最小限に留めることが可能な断線改修方法および断線改修用冶具を提供することができる。
【図面の簡単な説明】
【００２３】
【図１】本実施形態にかかる断線改修方法および断線改修用冶具を適用する作業現場を示す図である。
【図２】本実施形態にかかる断線改修用冶具を示す図である。
【図３】ボルト締付時のカバー内部の状態を示す断面図である。
【図４】本実施形態にかかる断線改修方法について説明する図である。
【図５】本実施形態にかかる断線改修方法について説明する図である。
【発明を実施するための形態】
【００２４】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２５】
（作業現場）
図１は、本実施形態にかかる断線改修方法および断線改修用冶具を適用する作業現場を示す図である。図１に示す作業現場１００では、電柱１０２に、高圧線１１０が張架されていて、かかる高圧線１１０によって発電所（不図示）で発電され変電所（不図示）で変電された電気が送電される。高圧線１１０は、電柱１０２に装柱される変圧器１２０に高圧カットアウト１３０を介して接続されていて、高圧線１１０を流れる電気は、変圧器１２０において送電時の電圧（例えば６６００Ｖ）から、需要家で使用する電圧（例えば１００Ｖまたは２００Ｖ）に変圧される。
【００２６】
高圧カットアウト１３０とは、変圧器１２０を保護するための装置であり、かかる変圧器１２０の一次側電源側に接続されている。この高圧カットアウト１３０から延出している変圧器側引下線（以下、ＰＤＣ１３２と称する。）と、高圧線１１０の途中に接続されてそこから引き下げられた高圧線側引下線（以下、ＰＤＰ１１２と称する。）とを接続することにより、高圧線１１０と変圧器１２０（厳密には高圧カットアウト１３０）とが接続される。
【００２７】
図示は省略するが、電柱１０２への変圧器１２０の新設時において、ＰＤＰ１１２とＰＤＣ１３２を接続する際には、ＰＤＰ１１２の端部の被覆１１２ｂおよびＰＤＣ１３２の端部の被覆１３２ｂを剥ぎ取り、各々の芯線１１２ａおよび１３２ａを露出させる（図３参照）。そして、それらの芯線１１２ａおよび１３２ａを、金属製の筒状部材からなるスリーブ（不図示）に挿入し、そのスリーブを圧着することにより接続部１４０が形成され、ＰＤＰ１１２およびＰＤＣ１３２が接続される。
【００２８】
接続部１４０は、スリーブの上から収縮チューブ（不図示）が被装されたり、絶縁テープ（不図示）を巻きつけられたりすること等により絶縁と防水を図っている。しかしながら、強風等により繰り返し曲げ応力がかかると、接続部１４０近傍において断線が発生することがある。従来では、このＰＤＰ１１２およびＰＤＣ１３２の接続部１４０の断線を改修する際に間接活線工法を適用することができなかったため、直接活線工法によって改修作業を行わざるを得ず、これに伴う様々な不具合が生じていた。
【００２９】
そこで本実施形態では、ＰＤＰ１１２およびＰＤＣ１３２の断線改修作業に間接活線工法を適用でき、作業者の安全確保、停電時間の短縮、および作業効率の向上が可能な断線改修方法および断線改修用冶具を提供することを目的としている。なお、理解を容易にするために、以下の説明では、まず断線改修用冶具について述べた後に、それを用いた断線改修方法について詳述する。
【００３０】
（断線改修用冶具）
図２は、本実施形態にかかる断線改修用冶具を示す図であり、図２（ａ）は断線改修用冶具の斜視図であり、図２（ｂ）は図２（ａ）のＡ−Ａ断面図であり、図２（ｃ）は図２（ａ）のＢ方向からの矢視図である。図２に示す断線改修用冶具（以下、冶具２００と称する。）は、高圧線１１０および変圧器１２０を接続するＰＤＰ１１２およびＰＤＣ１３２の断線箇所の改修作業に間接活線工法を適用する際に用いられる冶具である。
【００３１】
図２（ａ）に示すように、冶具２００は筒状のカバー２１０を備える。カバー２１０はその両端が開口していて、高圧線１１０から引き下げられたＰＤＰ１１２を一方の開口２１０ａに、変圧器１２０に接続された高圧カットアウト１３０から延出されたＰＤＣ１３２を他方の開口２１０ｂに挿入可能である（図３参照）。
【００３２】
上記のカバー２１０は絶縁材料から構成される。これにより、充電部が露出することなく、安全に施設される。更に本実施形態では、カバー２１０の外面にはゴムコーティング（不図示）が施されている。これにより、ゴムコーティングが滑り止めとして機能するため、後述する遠隔操作棒１５０（図４参照）によってカバー２１０をより確実に把持可能となり、作業性の向上が図れる。またゴムコーティングは絶縁材料であるためカバー２１０の絶縁性を阻害することがない。
【００３３】
図２（ｂ）に示すように、カバー２１０の内部において、その両端（開口２１０ａおよび２１０ｂ）近傍には、導電材料からなる２つのナット２２０ａおよび２２０ｂが各々配置されている。そして、これらのナット２２０ａおよび２２０ｂには、導電材料からなる通電部材２４０の両端が接続されている。
【００３４】
また上記のナット２２０ａおよび２２０ｂには、導電材料からなるボルト２３０ａおよび２３０ｂが各々螺合される。かかるボルト２３０ａおよび２３０ｂは、表面に螺刻を有する軸部２３２ａおよび２３２ｂ、およびその軸部２３２ａおよび２３２ｂの一方の先端（上端）に設けられた頭部２３４ａおよび２３４ｂから構成される。
【００３５】
本実施形態において、ボルト２３０ａおよび２３０ｂの頭部２３４ａおよび２３４ｂは環状である。これにより、後に詳述するように、ボルト２３０ａおよび２３０ｂを回転させる際においてその頭部２３４ａおよび２３４ｂを、ヤットコ状の先端具１５２（図４（ａ）参照）で把持できるだけでなく、フック状の先端具１５４（図４（ｂ）参照）を引っ掛けて操作することが可能となり、作業性の向上を図れる。なお、かかる頭部２３４ａおよび２３４ｂの形状は一例であって、これに限定するものではなく、例えば一般的なボルトの頭部と同様の形状であってもよい。
【００３６】
また本実施形態の特徴として、ボルト２３０ａおよび２３０ｂは、その他方の先端（下端）すなわち軸部軸部２３２ａおよび２３２ｂの先端に針状の突出部２３６ａおよび２３６ｂを有する。図３は、ボルト２３０ａおよび２３０ｂ締付時のカバー２１０内部の状態を示す断面図である。
【００３７】
図３（ａ）に示すように、ボルト２３０ａおよび２３０ｂがナット２２０ａおよび２２０ｂに完全に螺合していない状態において、上記説明したように、カバー２１０の一方の開口２１０ａにＰＤＰ１１２を、他方の開口２１０ｂにＰＤＣ１３２を挿入する。この状態からボルト２３０ａおよび２３０ｂをナット２２０ａおよび２２０ｂに螺合していくと、図３（ｂ）に示すように、軸部２３２ａおよび２３２ｂの先端に設けられた突出部２３６ａおよび２３６ｂが、ＰＤＰ１１２の被覆１１２ｂおよびＰＤＣ１３２の被覆１３２ｂに突き刺さる。
【００３８】
そして、ボルト２３０ａおよび２３０ｂをナット２２０ａおよび２２０ｂに完全に螺合すると、突出部２３６ａおよび２３６ｂは、図３（ｃ）に示すように被覆１１２ｂおよび１３２ｂを貫通してＰＤＰ１１２の芯線１１２ａおよびＰＤＣ１３２の芯線１３２ａに至る。すなわち、突出部２３６ａおよび２３６ｂが芯線１１２ａおよび１３２ａに接触する。
【００３９】
上記構成により、図３（ｃ）の破線にて示すように、導電材料からなる、ＰＤＰ１１２の芯線１１２ａ、ボルト２３０ａ、ナット２２０ａ、通電部材２４０、ナット２２０ｂ、ボルト２３０ｂ、ＰＤＣ１３２の芯線１３２ａにより導電経路が形成され、ＰＤＰ１１２およびＰＤＣ１３２が通電する。したがって、冶具２００およびこれを用いた断線改修方法では、ＰＤＰ１１２およびＰＤＣ１３２の被覆１１２ｂおよび１３２ｂの剥ぎ取りが不要となり、その作業工程の削減、ひいては作業時間の短縮を図ることが可能となる。
【００４０】
（断線改修方法）
次に、上述した冶具２００を用いた断線改修方法について説明する。既に述べたように、本実施形態にかかる断線改修方法では、遠隔操作棒を用いる間接活線工法によって、電柱１０２に張架された高圧線１１０および装柱された変圧器１２０を接続する引下線（ＰＤＰ１１２およびＰＤＣ１３２）の断線箇所を改修する。
【００４１】
図４および図５は、本実施形態にかかる断線改修方法について説明する図である。なお、接続部１４０の上側（ＰＤＰ１１２側）で断線が発生した場合には、ＰＤＣ１３２先端に接続部１４０（スリーブ）が残る。一方、接続部１４０の下側（ＰＤＣ１３２側）で断線した場合には、ＰＤＰ１１２の先端に接続部１４０（スリーブ）が残る。いずれの場合であっても同様の作業となるため、本実施形態では、ＰＤＣ１３２先端に接続部１４０（スリーブ）が残った場合を例示して説明する。
【００４２】
本実施形態にかかる断線改修方法では、まず図４（ａ）に示すように、作業員１０４は、遠隔操作棒１５０の先端に取り付けられたヤットコ状の先端具１５２（以下ヤットコ状の遠隔操作棒１５０ａと称する。）によって冶具２００（厳密にはカバー２１０）を把持する。すなわちヤットコ状の遠隔操作棒１５０ａは１つめの遠隔操作棒である。
【００４３】
本実施形態では、冶具２００（カバー２１０）を把持したヤットコ状の遠隔操作棒１５０ａ（１つめの遠隔操作棒）を、作業員１０４が搭乗する高所作業車（不図示）のバケット１０６に固定する。これにより、作業員１０４は１つめの遠隔操作棒であるヤットコ状の遠隔操作棒１５０ａを手に持つ必要がなくなるため、その後の作業において両手を自由に使うことができる。したがって、作業性を格段に向上させることが可能となる。またバケット１０６に固定することによりヤットコ状の遠隔操作棒１５０ａにぐらつきが生じなくなるため、作業時における冶具２００の位置を安定させることができる。
【００４４】
なお、本実施形態においては、ヤットコ状の遠隔操作棒１５０ａを高所作業車のバケット１０６に固定する場合を例示したが、これに限定するものではない。例えば、ヤットコ状の遠隔操作棒１５０ａは電柱１０２に固定されてもよい。これによっても上述した利点を得ることが可能となる。
【００４５】
冶具２００を把持したヤットコ状の遠隔操作棒１５０ａをバケット１０６に固定したら、作業員１０４は、同じく図４（ａ）に示す２つめの遠隔操作棒１５０の先端に取り付けられたヤットコ状の先端具１５２（以下、ヤットコ状の遠隔操作棒１５０ｂと称する。）でＰＤＰ１１２（図１の高圧線１１０から引き下げられた高圧線側引下線）を把持し、それをカバー２１０の一方の開口２１０ａ（図２参照）に挿入する。
【００４６】
続いて、作業員１０４は、ヤットコ状の遠隔操作棒１５０ｂからヤットコ状の先端具１５２を取り外し、ボルト締付用の先端具を遠隔操作棒１５０に取り付ける。本実施形態では、上述したようにボルト２３０ａおよび２３０ｂの頭部２３４ａおよび２３４ｂは環状であるため（図２参照）、この環部分に引っ掛けることが可能なフック状の先端具１５４（図４（ｂ）参照）をボルト締付用の先端具として用いる。以下、このフック状の先端具１５４が取り付けられた遠隔操作棒１５０を、フック状の遠隔操作棒１５０ｃと称する。
【００４７】
そして、作業員１０４は、図４（ｂ）に示すように、フック状の遠隔操作棒１５０ｃを頭部２３４ａの環部分に引っ掛けてボルト２３０ａを回転させ、かかるボルト２３０ａをナット２２０ａ（図２参照）に螺合して締め付ける。
【００４８】
次に、作業員１０４は、図５（ａ）に示すように、上述したヤットコ状の遠隔操作棒１５０ｂでＰＤＣ１３２（変圧器１２０（厳密には高圧カットアウト１３０）から出ている変圧器側引下線）を把持し、それをカバー２１０の他方の開口２１０ｂ（図２参照）に挿入する。そして、図５（ｂ）に示すように、上述したフック状の遠隔操作棒１５０ｃを頭部２３４ｂの環部分に引っ掛けてボルト２３０ｂを回転させ、かかるボルト２３０ｂをナット２２０ｂ（図２参照）に螺合して締め付ける。
【００４９】
上述した作業によって、冶具２００がＰＤＰ１１２およびＰＤＣ１３２に取り付けられる。これにより、かかる冶具２００の内部では、突出部２３６ａおよび２３６ｂが芯線１１２ａおよび１３２ａに接触することでＰＤＰ１１２およびＰＤＣ１３２間に導電経路が形成されて（図３（ｃ）参照）、それらが通電し、改修作業が完了する。
【００５０】
上記説明したように、本実施形態にかかる冶具２００（断線改修用冶具）およびそれを用いた断線改修方法によれば、遠隔操作棒１５０を用いて、高圧線側引下線（ＰＤＰ１１２）および変圧器側引下線（ＰＤＣ１３２）を冶具２００のカバー２１０に挿入した後にボルト２３０ａおよび２３０ｂを締め付けるだけで、その断線箇所を改修することができる。すなわち、ＰＤＰ１１２およびＰＤＣ１３２の断線改修作業に間接活線工法を適用することが可能となる。したがって、作業者はより安全な環境で作業ができ、且つ直接活線工法において必要であった３人目の作業者が必要がなくなるため直ちに改修作業に着手でき、停電時間ひいては需要家の不便を最小限に留めることが可能となる。
【００５１】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５２】
本発明は、遠隔操作棒を用いる間接活線工法によって、電柱に張架された高圧線および装柱された変圧器を接続する引下線の断線箇所を改修する断線改修方法、およびそれに用いられる断線改修用冶具として利用することができる。
【符号の説明】
【００５３】
１００…作業現場、１０２…電柱、１０４…作業員、１０６…バケット、１１０…高圧線、１１２…ＰＤＰ、１１２ａ…芯線、１１２ｂ…被覆、１２０…変圧器、１３０…高圧カットアウト、１３２…ＰＤＣ、１３２ａ…芯線、１３２ｂ…被覆、１４０…接続部、１５０…遠隔操作棒、１５０ａ…ヤットコ状の遠隔操作棒、１５０ｂ…ヤットコ状の遠隔操作棒、１５０ｃ…フック状の遠隔操作棒、１５２…ヤットコ状の先端具、１５４…フック状の先端具、２００…冶具、２１０…カバー、２１０ａ…開口、２１０ｂ…開口、２２０ａ…ナット、２２０ｂ…ナット、２３０ａ…ボルト、２３０ｂ…ボルト、２３２ａ…軸部、２３２ｂ…軸部、２３４ａ…頭部、２３４ｂ…頭部、２３６ａ…突出部、２３６ｂ…突出部、２４０…通電部材
【図１】
2012205323.tif 000003
【図２】
2012205323.tif 000004
【図３】
2012205323.tif 000005
【図４】
2012205323.tif 000006
【図５】
2012205323.tif 000007